(57)【要約】【課題】発光手段と被着体との相対移動量を抑制して装置の小型化を図るとともに、光照射時間を短縮化して照射効率も飛躍的に向上させることのできる光照射装置を提供すること。【解決手段】被照射体を構成する接着シートＳが貼付された半導体ウエハＷを支持するテーブル１１と、接着シートＳに光を照射する発光手段１２と、テーブル１１と発光手段１２とを相互に平行な面内で相対移動させる移動手段１３とを備えて光照射装置１０が構成されている。発光手段１２は、テーブル１１との相対移動方向と交差する方向に沿うライン光Ｌを接着シートＳの被照射面Ｓ１上に形成するとともに、相対移動方向に沿って所定間隔Ｐｘ若しくは所定角度θを隔てて複数配置されている。【選択図】図１
2010212384.tif 000002
【特許請求の範囲】
【請求項１】
被照射体に相対配置されて前記被照射体に光を照射する発光手段と、前記被照射体と発光手段とを相互に平行な面内で相対移動させる移動手段とを含む光照射装置において、
前記発光手段は、前記相対移動方向と交差する方向に沿うライン光を前記被照射体の被照射面上に形成するとともに、前記相対移動方向に沿って所定間隔を隔てて複数配置されていることを特徴とする光照射装置。
【請求項２】
前記発光手段は、前記相対移動方向に沿う被照射体の最大長さを発光手段の数で等分した相互間隔を隔てて配置されていることを特徴とする請求項１記載の光照射装置。
【請求項３】
前記被照射体と発光手段とを相対移動させる距離と前記複数の発光手段の数で等分した相互間隔とが同一であることを特徴とする請求項２記載の光照射装置。
【請求項４】
被照射体に相対配置されて前記被照射体に光を照射する発光手段と、前記被照射体と発光手段とを相互に平行な面内で相対移動させる移動手段とを含み、前記発光手段は、前記相対移動方向と交差する方向に沿うライン光を前記被照射体の被照射面上に形成するとともに、前記相対移動方向に沿って所定間隔を隔てて複数配置された光照射装置を用いて光照射を行う方法において、
前記相対移動方向に沿う被照射体の最大長さを発光手段の数で等分した間隔を隔てて当該発光手段を配置しておき、
前記被照射体と発光手段とを相対移動させる距離を前記複数の発光手段の数で等分した相互間隔と同一に設定して光照射を行うことを特徴とする光照射方法。
【請求項５】
被照射体に相対配置されて前記被照射体に光を照射する発光手段と、前記被照射体と発光手段とを相互に平行な面内で定点を中心に相対回転させる移動手段とを含む光照射装置において、
前記発光手段は、前記定点を中心とした放射方向に沿うライン光を前記被照射体の被照射面上に形成するとともに、前記相対回転方向に沿って所定角度を隔てて複数配置されていることを特徴とする光照射装置。
【請求項６】
前記発光手段は、１周角度を発光手段の数で等分した相互角度を隔てて配置されていることを特徴とする請求項５記載の光照射装置。
【請求項７】
前記被照射体と発光手段とを相対回転させる角度と前記複数の発光手段の数で等分した相互角度とが同一であることを特徴とする請求項６記載の光照射装置。
【請求項８】
被照射体に相対配置されて前記被照射体に光を照射する発光手段と、前記被照射体と発光手段とを相互に平行な面内で定点を中心に相対回転させる移動手段とを含み、前記発光手段は、前記定点を中心とした放射方向に沿うライン光を前記被照射体の被照射面上に形成するとともに、前記相対回転方向に沿って所定角度を隔てて複数配置された光照射装置を用いて光照射を行う方法において、
１周角度を発光手段の数で等分した角度を隔てて当該発光手段を配置しておき、
前記被照射体と発光手段とを相対回転させる角度を前記複数の発光手段の数で等分した相互角度と同一に設定して光照射を行うことを特徴とする光照射方法。
【発明の詳細な説明】
【技術分野】
【０００１】
本発明は光照射装置及び光照射方法に係り、特に、半導体ウエハ等に貼付された光反応型の接着剤層を有する接着シートに光を照射することのできる光照射装置及び光照射方法に関する。
【背景技術】
【０００２】
半導体ウエハ（以下、単に、「ウエハ」と称する）の処理装置においては、ウエハの回路面に保護用の接着シートを貼付して裏面研削を行ったり、ダイシングテープを貼付して複数のチップに個片化したりする処理が行われる。このような処理に使用される接着シートには、接着剤に紫外線硬化型（光反応型）のものが採用されており、上記のような処理の後、紫外線照射装置（光照射装置）により紫外線（光）を接着シートに照射することで、当該接着シートの接着剤を硬化させて接着力を弱め、ウエハの破損を防止して容易に剥離できるようになっている。
【０００３】
前記紫外線照射装置としては、例えば、特許文献１に開示されている。同文献における紫外線照射装置は、複数の紫外線発光ダイオードからなる発光手段と、接着シートが貼付されたウエハとを平面内で相対移動させることによって接着シートの接着剤層に紫外線を照射する構成となっている。
【先行技術文献】
【特許文献】
【０００４】
【特許文献１】特開２００７−３２９３００号公報
【発明の概要】
【発明が解決しようとする課題】
【０００５】
しかしながら、特許文献１に開示されるように、接着シートが貼付されたウエハと発光手段とを相対移動させる構成にあっては、一般的には、以下の不都合がある。
すなわち、図５（Ａ）に示されるように、紫外線硬化型の接着シートＳが貼付されたウエハＷをテーブル５０に支持する一方、テーブル５０の上方に発光手段５１を配置し、テーブル５０を図中左方向に移動させて紫外線照射を行う場合、ウエハＷの直径をＤとすると、テーブル５０の移動スペースは、ウエハＷの直径の約２倍２Ｄ以上必要となり、装置が大型化する。
また、図５（Ｂ）に示されるように、テーブル５０を移動させることなく発光手段５１を移動させる構成の場合、接着シートＳへ照射する光の積算光量（光量×時間）を考慮すると、単位時間当たりにウエハＷを処理する能力は、自ずと決まってしまう。
更に、図５（Ｃ）に示されるように、テーブル５０と発光手段５１を相反する方向にそれぞれ移動させる構成とすれば、テーブル５０の移動スペースは、図５（Ａ）に示される構成に対して半減できるものの、単位時間当たりのウエハＷの処理能力は変わらない上、テーブル５０と発光手段５１とをそれぞれ移動させる手段が必要になり、構成が複雑化する、という不都合を招来する。
このような不都合は、接着シートＳに紫外線を一括照射できる発光手段を採用することで解消可能となる。しかしながら、接着シートの大きさに対応して大容量の発光手段を用いなければならず、設備コストが上昇する他、消費電力も大きくなってしまう、という不都合を招来する。
【０００６】
［発明の目的］
本発明は、このような不都合に着目して案出されたものであり、その目的は、発光手段と被照射体との相対移動量を抑制して小型化を図るとともに、光照射時間を短縮化して照射効率も飛躍的に向上させることのできる光照射装置及び光照射方法を提供することにある。
【課題を解決するための手段】
【０００７】
前記目的を達成するため、請求項１に係る発明は、被照射体に相対配置されて前記被照射体に光を照射する発光手段と、前記被照射体と発光手段とを相互に平行な面内で相対移動させる移動手段とを含む光照射装置において、
前記発光手段は、前記相対移動方向と交差する方向に沿うライン光を前記被照射体の被照射面上に形成するとともに、前記相対移動方向に沿って所定間隔を隔てて複数配置される、という構成を採っている。
【０００８】
前記光照射装置において、前記発光手段は、前記相対移動方向に沿う被照射体の最大長さを発光手段の数で等分した相互間隔を隔てて配置される、という構成を採ることが好ましい。
【０００９】
また、前記被照射体と発光手段とを相対移動させる距離と前記複数の発光手段の数で等分した相互間隔とが同一である、という構成を採っている。
【００１０】
更に、請求項４に係る発明は、被照射体に相対配置されて前記被照射体に光を照射する発光手段と、前記被照射体と発光手段とを相互に平行な面内で相対移動させる移動手段とを含み、前記発光手段は、前記相対移動方向と交差する方向に沿うライン光を前記被照射体の被照射面上に形成するとともに、前記相対移動方向に沿って所定間隔を隔てて複数配置された光照射装置を用いて光照射を行う方法において、前記相対移動方向に沿う被照射体の最大長さを発光手段の数で等分した間隔を隔てて当該発光手段を配置しておき、前記被照射体と発光手段とを相対移動させる距離を前記複数の発光手段の数で等分した相互間隔と同一に設定して光照射を行う、という手法を採っている。
【００１１】
また、請求項５に係る発明は、被照射体に相対配置されて前記被照射体に光を照射する発光手段と、前記被照射体と発光手段とを相互に平行な面内で定点を中心に相対回転させる移動手段とを含む光照射装置において、
前記発光手段は、前記定点を中心とした放射方向に沿うライン光を前記被照射体の被照射面上に形成するとともに、前記相対回転方向に沿って所定角度を隔てて複数配置される、という構成を採っている。
【００１２】
更に、請求項５に係る発明の発光手段は、１周角度を発光手段の数で等分した相互角度を隔てて配置される、という構成を採っている。
【００１３】
また、請求項５に係る発明において、前記被照射体と発光手段とを相対回転させる角度と前記複数の発光手段の数で等分した相互角度とが同一である、という構成を採ることができる。
【００１４】
更に、請求項８に係る発明は、被照射体に相対配置されて前記被照射体に光を照射する発光手段と、前記被照射体と発光手段とを相互に平行な面内で定点を中心に相対回転させる移動手段とを含み、前記発光手段は、前記定点を中心とした放射方向に沿うライン光を前記被照射体の被照射面上に形成するとともに、前記相対回転方向に沿って所定角度を隔てて複数配置された光照射装置を用いて光照射を行う方法において、
１周角度を発光手段の数で等分した角度を隔てて当該発光手段を配置しておき、
前記被照射体と発光手段とを相対回転させる角度を前記複数の発光手段の数で等分した相互角度と同一に設定して光照射を行う、という手法を採っている。
【発明の効果】
【００１５】
本発明によれば、発光手段がライン光を形成し、被照射体との相対移動方向に沿って所定間隔を隔てて複数配置されているため、ライン光が被照射面を走査する距離が短縮できる。従って、発光手段と被照射体との相対移動量と光照射時間との双方が短縮化され、装置をコンパクトに形成できる他、光照射効率も向上することができる。
また、発光手段は、被照射体の長さ若しくは一周角度を等分した間隔であるため、発光手段の間隔に対応した長さ若しくは角度の相対移動で被照射面全域に光照射を等しく行うことができる。
【図面の簡単な説明】
【００１６】
【図１】本発明に係る第１実施形態を示す光照射装置の概略正面図。
【図２】発光手段の概略斜視図。
【図３】前記光照射装置の概略平面図。
【図４】本発明の他の実施形態を示す光照射装置の概略平面図。
【図５】（Ａ）〜（Ｃ）は、従来の紫外線照射装置の不都合を説明するための概略正面図。
【発明を実施するための形態】
【００１７】
以下、本発明に係る実施形態について、図面を参照しながら説明する。
【００１８】
第１実施形態を示す図１において、光照射装置１０は、紫外線硬化型の接着シートＳ（被照射体）が貼付された略円形のウエハＷを支持するテーブル１１と、当該テーブル１１の上方に相対配置されて接着シートＳに光を照射する発光手段１２と、テーブル１１と発光手段１２とを相互に平行な面内で図１中左右方向に相対移動させる移動手段１３とを備えて構成されている。
【００１９】
前記接着シートは、基材シートと紫外線硬化型の接着剤層からなり、当該接着剤層が被照射面Ｓ１となる。なお、接着剤層は、厳密には厚みを有するため面ではないが、その厚みは極薄なため、面として表現する。
【００２０】
前記発光手段１２は、複数すなわち第１ないし第６の発光手段１２ａ〜１２ｆを含んで構成されている。これら発光手段１２ａ〜１２ｆは、テーブル１１と発光手段１２との相対移動方向における接着シートＳの最大長さ、すなわち直径を発光手段１２の数で等分した相互間隔Ｐｘを隔てて相互に平行に併設されている。
各発光手段１２ａ〜１２ｆは、図２に示されるように、基板２０に取り付けられるとともに、接着シートＳの被照射面Ｓ１に沿って一定間隔を隔てて延設された発光源としての複数の発光ダイオード２１と、これら発光ダイオード２１から発せられる光を集光して被照射面Ｓ１上にライン光Ｌを形成するライン光形成部材としてのレンズ２２とを含む。レンズ２２は、発光ダイオード２１の延設方向に沿って延び、基板２０とレンズ２２は、図示しない保持部材を介して一体的に保持されるようになっている。
【００２１】
前記移動手段１３は、直動モータＭにより構成され、当該直動モータＭの２つのスライダ２５にテーブル１１が固定されている。この移動手段１３は、発光手段１２ａ〜１２ｆの相互間隔Ｐｘと同じ距離Ｐｘ分だけテーブル１１を移動させるようになっている。なお、第１〜第３の発光手段１２ａ〜１２ｃは、図３中二点差線で示されるように、ウエハＷが距離Ｐｘ移動したときに、当該ウエハＷがライン光Ｌからはみ出ることがないように、その長さが設定されているとともに、第４〜第６の発光手段１２ｄ〜１２ｆは、距離Ｐｘ移動する前のウエハＷがライン光Ｌからはみ出ることがないようにその長さが設定されている。
【００２２】
前記紫外線照射装置１０を用いて紫外線を照射する場合には、図１に示されるように、接着シートＳの左端位置の上方に第１の発光手段１２ａが位置する状態で紫外線照射を開始する。そして、直動モータＭの駆動により、テーブル１１が第１ないし第６の発光ダイオード１２ａ〜１２ｆの相互間隔Ｐｘと同じ距離Ｐｘ分移動することで、ライン光Ｌによる走査が行われ、これによって、被照射面Ｓ１の全ての領域に紫外線を照射することができる。
【００２３】
従って、このような構成によれば、接着シートＳの全領域に対応して発光ダイオードを密集するように配置する必要性を無くし、当該発光ダイオードの使用数を低減できる一方、相対移動量、すなわち、テーブル１１の移動距離も第１ないし第６の発光手段１２ａ〜１２ｆの相互間隔Ｐｘに応じた長さに設定することができ、装置の小型化と紫外線の照射時間の短縮化とが実現できる、という効果を得る。
【００２４】
次に、第２実施形態について、図４を参照しながら説明する。
【００２５】
この実施形態は、テーブル１１と発光手段１２とを平行な面内で相対回転させるように設けたところに特徴を有する。
すなわち、発光手段１２は、移動手段１３を構成するモータＭ２の図示しない回転軸に支持され、この回転軸は、円形の接着シートＳの中心を回転中心として回転可能に設けられている。また、発光手段１２は、モータＭ２の回転軸上にある定点Ｐを中心として放射方向に延設された８個の基板２０に取り付けられるとともに、被照射面Ｓ１に沿って一定角度を隔てて延設された発光源としての複数の発光ダイオード２１と、図示しないライン光形成部材としてのレンズとによって構成されており、実質的に、第１実施形態で示したものと同一であり、それらのライン光Ｌを被照射面Ｓ１に対して周方向に沿って走査させることで紫外線を照射できるように構成されている。
各発光手段１２ａ〜１２ｈの間隔をなす相互角度θは１周角度（３６０度）を発光手段の数で等分した角度つまり４５度に設定され、当該相互角度θは、接着シートＳの周方向に沿って各発光手段１２ａ〜１２ｈが回転する角度と同一となっている。
従って、発光手段１２が４５度回転することにより、接着シートＳの全周に紫外線を照射することができる。
なお、図示例では、各発光手段１２ａ〜１２ｈにおける発光ダイオード２１は、放射方向に沿って相互に等間隔を隔てた配置に表しているが、放射方向外側に向かうに従って基板２０の単位長さあたりの発光ダイオード２１の数を増大させたり、或いは、外側の発光ダイオード２１の光量が次第に大きくなるタイプのものを用いたりすることもできる。
【００２６】
従って、このような第２実施形態によっても、テーブル１１と発光ダイオード１２ａ〜１２ｈとを平面内で回転させるだけであるため、装置の小型化と紫外線の照射時間の短縮化を実現できる、という効果を得る。
【００２７】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００２８】
例えば、前記実施形態では、発光源としての発光ダイオード２１が基板２０に複数配置された場合を図示、説明したが、本発明は、これに限定されるものではなく、管状をなす単数の紫外線ランプを用いることもできる。
【００２９】
また、紫外線を照射することによって接着シートＳの接着剤層を硬化させる場合を説明したが、ウエハＷに仮着された感熱接着性の接着シートをウエハに強固に貼付するシート貼付装置等に適用することもできる。この場合、発光源が発光する光としては、赤外線等が例示できる。
【００３０】
また、第１実施形態では、テーブル１１が移動することなく発光手段１２が移動する構成としてもよいし、発光手段１２とテーブル１１との両方が移動する構成でもよい。また、第２の発明に係る実施形態では、発光手段１２が移動することなくテーブル１１が回転する構成としてもよいし、発光手段１２とテーブル１１との両方が回転する構成でもよい。
【００３１】
更に、ライン光形成部材はレンズ２２に替えて反射板等を用いることもできる。
【００３２】
また、接着シートＳが貼付される被着体はウエハＷに限定されることなく、ガラス板、鋼板、または、樹脂板等、その他のものも対象とすることができ、半導体ウエハは、シリコンウエハや化合物ウエハであってもよい。
【符号の説明】
【００３３】
１０  光照射装置
１２、１２ａ〜１２ｈ  発光手段
１３  移動手段
２１  発光ダイオード（発光源）
２２  レンズ（ライン光形成部材）
Ｌ  ライン光
Ｓ  接着シート（被照射体）
Ｓ１  被照射面
Ｐ  定点
Ｐｘ  相互間隔（距離）
θ  相互角度（角度）
【図１】
2010212384.tif 000003
【図２】
2010212384.tif 000004
【図３】
2010212384.tif 000005
【図４】
2010212384.tif 000006
【図５】
2010212384.tif 000007